(57)【要約】      （修正有）【課題】色収差等の諸収差を良好に補正して優れた光学性能を達成できる変倍光学系を提供する。【解決手段】正の第１レンズ群Ｇ１と、負の第２レンズ群Ｇ２と、正の第３レンズ群Ｇ３と、正の屈折力の第４レンズ群Ｇ４とから構成され、変倍に際して隣接する各レンズ群の間隔が変化し、第３レンズ群Ｇ３は、正の第３ａレンズ群と、正の第３ｂレンズ群と、負の第３ｃレンズ群とから構成され、第３ｃレンズ群は、負単レンズから構成され、次の条件式（１）、（２）を満足する変倍光学系。（１）６．０＜ｆ１Ｇｐ／ｆｗ＜９．０、（２）１．３＜ｆ３Ｇｐ／ｆ４Ｇｐ＜２．０、但し、ｆｗ：ワイド端における全系の焦点距離、ｆ１Ｇｐ：第１レンズ群の焦点距離、ｆ３Ｇｐ：第３レンズ群の焦点距離、ｆ４Ｇｐ：第４レンズ群の焦点距離。【選択図】図１
2018045172.tif 000002
【特許請求の範囲】
【請求項１】
物体側から順に、正の屈折力の第１レンズ群と、負の屈折力の第２レンズ群と、正の屈折力の第３レンズ群と、正の屈折力の第４レンズ群とから構成されており、変倍に際して隣接する各レンズ群の間隔が変化する変倍光学系であって、
第３レンズ群は、物体側から順に、正の屈折力の第３ａレンズ群と、正の屈折力の第３ｂレンズ群と、負の屈折力の第３ｃレンズ群とから構成されており、
第３ｃレンズ群は、負単レンズから構成されており、
次の条件式（１）、（２）を満足することを特徴とする変倍光学系。
（１）６．０＜ｆ１Ｇｐ／ｆｗ＜９．０
（２）１．３＜ｆ３Ｇｐ／ｆ４Ｇｐ＜２．０
但し、
ｆｗ：短焦点距離端における全系の焦点距離、
ｆ１Ｇｐ：第１レンズ群の焦点距離、
ｆ３Ｇｐ：第３レンズ群の焦点距離、
ｆ４Ｇｐ：第４レンズ群の焦点距離。
【請求項２】
請求項１記載の変倍光学系において、
第３ａレンズ群は、正単レンズから構成されており、第３ｂレンズ群は、正単レンズから構成されている変倍光学系。
【請求項３】
請求項１記載の変倍光学系において、
第３ａレンズ群は、正レンズと負レンズの接合レンズから構成されており、第３ｂレンズ群は、正単レンズから構成されている変倍光学系。
【請求項４】
請求項１ないし３のいずれか１項記載の変倍光学系において、
次の条件式（３）を満足する変倍光学系。
（３）０．９５＜ｆ３Ｇａ／｜ｆ３Ｇｃ｜＜２．５
但し、
ｆ３Ｇａ：第３ａレンズ群の焦点距離、
ｆ３Ｇｃ：第３ｃレンズ群の焦点距離。
【請求項５】
請求項１ないし４のいずれか１項記載の変倍光学系において、
次の条件式（４）を満足する変倍光学系。
（４）７．５＜ｆ１Ｇｐ／｜ｆ２Ｇｐ｜＜１０．０
但し、
ｆ１Ｇｐ：第１レンズ群の焦点距離、
ｆ２Ｇｐ：第２レンズ群の焦点距離。
【請求項６】
請求項１ないし５のいずれか１項記載の変倍光学系において、
第３レンズ群は、少なくとも一方の面に非球面を有する正レンズを少なくとも１枚含んでいる変倍光学系。
【請求項７】
請求項１ないし６のいずれか１項記載の変倍光学系において、
次の条件式（５）を満足する変倍光学系。
（５）νｄ３ｇｐ-ｍａｘ＞８０
但し、
νｄ３ｇｐ-ｍａｘ：第３レンズ群中のｄ線に対するアッベ数が最も大きい正レンズの当該ｄ線に対するアッベ数。
【請求項８】
請求項１ないし７のいずれか１項記載の変倍光学系において、
次の条件式（６）を満足する変倍光学系。
（６）νｄ４ｇｐ-ｍａｘ＞８０
但し、
νｄ４ｇｐ-ｍａｘ：第４レンズ群中のｄ線に対するアッベ数が最も大きい正レンズの当該ｄ線に対するアッベ数。
【請求項９】
請求項１ないし８のいずれか１項記載の変倍光学系において、
第２レンズ群は、物体側から順に、像側に凹面を向けた負レンズと、両凹負レンズと、両凸正レンズと、両凹負レンズと両凸正レンズの接合レンズとから構成されている変倍光学系。
【請求項１０】
物体側から順に、正の屈折力の第１レンズ群と、負の屈折力の第２レンズ群と、正の屈折力の第３レンズ群と、正の屈折力の第４レンズ群とから構成されており、変倍に際して隣接する各レンズ群の間隔が変化する変倍光学系であって、
第３レンズ群は、物体側から順に、正の屈折力の第３ａレンズ群と、正の屈折力の第３ｂレンズ群と、負の屈折力の第３ｃレンズ群とから構成されており、
第３ｃレンズ群は、負単レンズから構成されており、
次の条件式（１）、（３）を満足することを特徴とする変倍光学系。
（１）６．０＜ｆ１Ｇｐ／ｆｗ＜９．０
（３）０．９５＜ｆ３Ｇａ／｜ｆ３Ｇｃ｜＜２．５
但し、
ｆｗ：短焦点距離端における全系の焦点距離、
ｆ１Ｇｐ：第１レンズ群の焦点距離、
ｆ３Ｇａ：第３ａレンズ群の焦点距離、
ｆ３Ｇｃ：第３ｃレンズ群の焦点距離。
【発明の詳細な説明】
【技術分野】
【０００１】
本発明は、変倍光学系に関し、例えば、デジタルカメラ等の撮像機器に搭載して好適なズームレンズ系に関する。
【背景技術】
【０００２】
従来、デジタル一眼レフカメラ用の特に広角を含む大口径標準ズームレンズ系は、各種タイプが知られている。その中でも、変倍比が３倍前後の大口径標準ズームレンズ系として、一般的に、物体側から順に、正、負、正、正の４群タイプが用いられることがある（特許文献１〜３）。
【０００３】
一方、デジタル一眼レフカメラにあっては、撮像素子の高画素化に伴い、全焦点距離にわたり解像感が高く、像の平坦性の高い光学系が求められている。これらの要望に対応するためには、色収差や像面湾曲等の諸収差の改善が必要である。色収差については、近年はカメラ内蔵ソフトやパソコンソフトによる画像処理を撮影後に施すことで倍率色収差の修正がある程度は可能となっているが、より解像感の高い光学性能を得るためには、軸上色収差を十分に低減することが技術課題となっている。なお、像面湾曲と軸上色収差は、画像処理による後処理では修正が難しい収差である。
【先行技術文献】
【特許文献】
【０００４】
【特許文献１】特開２０１２−２５２２７８号公報
【特許文献２】特開２００７−１２７９８９号公報
【特許文献３】特開２００７−１３３１３８号公報
【発明の概要】
【発明が解決しようとする課題】
【０００５】
しかしながら、特許文献１〜３のズームレンズ系（変倍光学系）は、色収差等の諸収差の補正が不十分であるため、より高画素なデジタル一眼レフカメラには光学性能が物足りないという問題がある。
【０００６】
本発明は、以上の問題意識に基づいてなされたものであり、色収差等の諸収差を良好に補正して優れた光学性能を達成できる変倍光学系を得ることを目的とする。
【課題を解決するための手段】
【０００７】
本発明の変倍光学系は、その一態様では、物体側から順に、正の屈折力の第１レンズ群と、負の屈折力の第２レンズ群と、正の屈折力の第３レンズ群と、正の屈折力の第４レンズ群とから構成されており、変倍に際して隣接する各レンズ群の間隔が変化する変倍光学系であって、第３レンズ群は、物体側から順に、正の屈折力の第３ａレンズ群と、正の屈折力の第３ｂレンズ群と、負の屈折力の第３ｃレンズ群とから構成されており、第３ｃレンズ群は、負単レンズから構成されており、次の条件式（１）、（２）を満足することを特徴としている。
（１）６．０＜ｆ１Ｇｐ／ｆｗ＜９．０
（２）１．３＜ｆ３Ｇｐ／ｆ４Ｇｐ＜２．０
但し、
ｆｗ：短焦点距離端における全系の焦点距離、
ｆ１Ｇｐ：第１レンズ群の焦点距離、
ｆ３Ｇｐ：第３レンズ群の焦点距離、
ｆ４Ｇｐ：第４レンズ群の焦点距離、
である。
【０００８】
第３ａレンズ群は、正単レンズから構成されており、第３ｂレンズ群は、正単レンズから構成されていてもよい。
【０００９】
第３ａレンズ群は、正レンズと負レンズの接合レンズから構成されており、第３ｂレンズ群は、正単レンズから構成されていてもよい。
【００１０】
本発明の変倍光学系は、次の条件式（３）を満足することが好ましい。
（３）０．９５＜ｆ３Ｇａ／｜ｆ３Ｇｃ｜＜２．５
但し、
ｆ３Ｇａ：第３ａレンズ群の焦点距離、
ｆ３Ｇｃ：第３ｃレンズ群の焦点距離、
である。
【００１１】
本発明の変倍光学系は、次の条件式（４）を満足することが好ましい。
（４）７．５＜ｆ１Ｇｐ／｜ｆ２Ｇｐ｜＜１０．０
但し、
ｆ１Ｇｐ：第１レンズ群の焦点距離、
ｆ２Ｇｐ：第２レンズ群の焦点距離、
である。
【００１２】
第３レンズ群は、少なくとも一方の面に非球面を有する正レンズを少なくとも１枚含んでいてもよい。
【００１３】
本発明の変倍光学系は、次の条件式（５）を満足することが好ましい。
（５）νｄ３ｇｐ-ｍａｘ＞８０
但し、
νｄ３ｇｐ-ｍａｘ：第３レンズ群中のｄ線に対するアッベ数が最も大きい正レンズの当該ｄ線に対するアッベ数、
である。
【００１４】
本発明の変倍光学系は、次の条件式（６）を満足することが好ましい。
（６）νｄ４ｇｐ-ｍａｘ＞８０
但し、
νｄ４ｇｐ-ｍａｘ：第４レンズ群中のｄ線に対するアッベ数が最も大きい正レンズの当該ｄ線に対するアッベ数、
である。
【００１５】
第２レンズ群は、物体側から順に、像側に凹面を向けた負レンズと、両凹負レンズと、両凸正レンズと、両凹負レンズと両凸正レンズの接合レンズとから構成されていてもよい。
【００１６】
本発明の変倍光学系は、別の態様では、物体側から順に、正の屈折力の第１レンズ群と、負の屈折力の第２レンズ群と、正の屈折力の第３レンズ群と、正の屈折力の第４レンズ群とから構成されており、変倍に際して隣接する各レンズ群の間隔が変化する変倍光学系であって、第３レンズ群は、物体側から順に、正の屈折力の第３ａレンズ群と、正の屈折力の第３ｂレンズ群と、負の屈折力の第３ｃレンズ群とから構成されており、第３ｃレンズ群は、負単レンズから構成されており、次の条件式（１）、（３）を満足することを特徴としている。
（１）６．０＜ｆ１Ｇｐ／ｆｗ＜９．０
（３）０．９５＜ｆ３Ｇａ／｜ｆ３Ｇｃ｜＜２．５
但し、
ｆｗ：短焦点距離端における全系の焦点距離、
ｆ１Ｇｐ：第１レンズ群の焦点距離、
ｆ３Ｇａ：第３ａレンズ群の焦点距離、
ｆ３Ｇｃ：第３ｃレンズ群の焦点距離、
である。
【発明の効果】
【００１７】
本発明によれば、色収差等の諸収差を良好に補正して優れた光学性能を達成できる変倍光学系が得られる。
【図面の簡単な説明】
【００１８】
【図１】本発明による変倍光学系の数値実施例１の短焦点距離端における無限遠合焦時のレンズ構成図である。
【図２】本発明による変倍光学系の数値実施例１の長焦点距離端における無限遠合焦時のレンズ構成図である。
【図３】図３Ａ−図３Ｄは図１の構成における諸収差図である。
【図４】図４Ａ−図４Ｄは図２の構成における横収差図である。
【図５】本発明による変倍光学系の数値実施例２の短焦点距離端における無限遠合焦時のレンズ構成図である。
【図６】本発明による変倍光学系の数値実施例２の長焦点距離端における無限遠合焦時のレンズ構成図である。
【図７】図７Ａ−図７Ｄは図５の構成における諸収差図である。
【図８】図８Ａ−図８Ｄは図６の構成における横収差図である。
【図９】本発明による変倍光学系の数値実施例３の短焦点距離端における無限遠合焦時のレンズ構成図である。
【図１０】本発明による変倍光学系の数値実施例３の長焦点距離端における無限遠合焦時のレンズ構成図である。
【図１１】図１１Ａ−図１１Ｄは図９の構成における諸収差図である。
【図１２】図１２Ａ−図１２Ｄは図１０の構成における横収差図である。
【図１３】本発明による変倍光学系の数値実施例４の短焦点距離端における無限遠合焦時のレンズ構成図である。
【図１４】本発明による変倍光学系の数値実施例４の長焦点距離端における無限遠合焦時のレンズ構成図である。
【図１５】図１５Ａ−図１５Ｄは図１３の構成における諸収差図である。
【図１６】図１６Ａ−図１６Ｄは図１４の構成における横収差図である。
【図１７】本発明による変倍光学系の数値実施例５の短焦点距離端における無限遠合焦時のレンズ構成図である。
【図１８】本発明による変倍光学系の数値実施例５の長焦点距離端における無限遠合焦時のレンズ構成図である。
【図１９】図１９Ａ−図１９Ｄは図１７の構成における諸収差図である。
【図２０】図２０Ａ−図２０Ｄは図１８の構成における横収差図である。
【図２１】本発明による変倍光学系の数値実施例６の短焦点距離端における無限遠合焦時のレンズ構成図である。
【図２２】本発明による変倍光学系の数値実施例６の長焦点距離端における無限遠合焦時のレンズ構成図である。
【図２３】図２３Ａ−図２３Ｄは図２１の構成における諸収差図である。
【図２４】図２４Ａ−図２４Ｄは図２２の構成における横収差図である。
【図２５】本発明による変倍光学系の数値実施例７の短焦点距離端における無限遠合焦時のレンズ構成図である。
【図２６】本発明による変倍光学系の数値実施例７の長焦点距離端における無限遠合焦時のレンズ構成図である。
【図２７】図２７Ａ−図２７Ｄは図２５の構成における諸収差図である。
【図２８】図２８Ａ−図２８Ｄは図２６の構成における横収差図である。
【図２９】本発明による変倍光学系の数値実施例８の短焦点距離端における無限遠合焦時のレンズ構成図である。
【図３０】本発明による変倍光学系の数値実施例８の長焦点距離端における無限遠合焦時のレンズ構成図である。
【図３１】図３１Ａ−図３１Ｄは図２９の構成における諸収差図である。
【図３２】図３２Ａ−図３２Ｄは図３０の構成における横収差図である。
【図３３】本発明による変倍光学系の数値実施例９の短焦点距離端における無限遠合焦時のレンズ構成図である。
【図３４】本発明による変倍光学系の数値実施例９の長焦点距離端における無限遠合焦時のレンズ構成図である。
【図３５】図３５Ａ−図３５Ｄは図３３の構成における諸収差図である。
【図３６】図３６Ａ−図３６Ｄは図３４の構成における横収差図である。
【図３７】本発明による変倍光学系の数値実施例１０の短焦点距離端における無限遠合焦時のレンズ構成図である。
【図３８】本発明による変倍光学系の数値実施例１０の長焦点距離端における無限遠合焦時のレンズ構成図である。
【図３９】図３９Ａ−図３９Ｄは図３７の構成における諸収差図である。
【図４０】図４０Ａ−図４０Ｄは図３８の構成における横収差図である。
【図４１】本発明による変倍光学系の移動軌跡を示す簡易移動図である。
【発明を実施するための形態】
【００１９】
本実施形態の変倍光学系は、全数値実施例１−１０を通じて、図４１の簡易移動図に示すように、物体側から順に、正の屈折力の第１レンズ群Ｇ１と、負の屈折力の第２レンズ群Ｇ２と、正の屈折力の第３レンズ群Ｇ３と、正の屈折力の第４レンズ群Ｇ４とから構成されている。Ｉは設計上の像面である。
【００２０】
本実施形態の変倍光学系は、全数値実施例１−１０を通じて、図４１の簡易移動図に示すように、短焦点距離端（Ｗｉｄｅ）から長焦点距離端（Ｔｅｌｅ）への変倍に際し、第１レンズ群Ｇ１と第３レンズ群Ｇ３と第４レンズ群Ｇ４が物体側に移動し、第２レンズ群Ｇ２が一旦像側に移動した後に物体側に戻る（Ｕターンする）。その結果、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が減少する。但し、変倍に際する各レンズ群の挙動には自由度があり、変倍に際して隣接する各レンズ群の間隔が変化する限りにおいて、種々の設計変更が可能である。
【００２１】
第１レンズ群Ｇ１は、全数値実施例１−１０を通じて、物体側から順に、負レンズ１１と、正レンズ１２と、正レンズ１３とから構成されている。負レンズ１１と正レンズ１２は、接合されている。
【００２２】
第２レンズ群Ｇ２は、全数値実施例１−１０を通じて、物体側から順に、負レンズ２１と、負レンズ２２と、正レンズ２３と、負レンズ２４と、正レンズ２５とから構成されている。負レンズ２１は、ガラスレンズの物体側の面に合成樹脂材料による非球面層が接着形成されたハイブリッドレンズからなる。負レンズ２４と正レンズ２５は、接合されている。
【００２３】
第３レンズ群Ｇ３は、全数値実施例１−１０を通じて、物体側から順に、正の屈折力の第３ａレンズ群Ｇ３ａと、正の屈折力の第３ｂレンズ群Ｇ３ｂと、負の屈折力の第３ｃレンズ群Ｇ３ｃとから構成されている。
【００２４】
数値実施例１−４、７、９、１０では、第３レンズ群Ｇ３（第３ａレンズ群Ｇ３ａ、第３ｂレンズ群Ｇ３ｂ、第３ｃレンズ群Ｇ３ｃ）は、次のように構成されている。
第３ａレンズ群Ｇ３ａは、正単レンズ３１から構成されている。正単レンズ３１は、数値実施例２、３、９、１０では、像側の面に非球面を有している。
第３ｂレンズ群Ｇ３ｂは、正単レンズ３２から構成されている。正単レンズ３２は、数値実施例４、７では、像側の面に非球面を有している。
第３ｃレンズ群Ｇ３ｃは、負単レンズ３３から構成されている。
【００２５】
数値実施例５、６、８では、第３レンズ群Ｇ３（第３ａレンズ群Ｇ３ａ、第３ｂレンズ群Ｇ３ｂ、第３ｃレンズ群Ｇ３ｃ）は、次のように構成されている。
第３ａレンズ群Ｇ３ａは、物体側から順に位置する負レンズ３１’と正レンズ３２’の接合レンズから構成されている。正レンズ３２’は、像側の面に非球面を有している。
第３ｂレンズ群Ｇ３ｂは、正単レンズ３３’から構成されている。
第３ｃレンズ群Ｇ３ｃは、負単レンズ３４’から構成されている。
【００２６】
第４レンズ群Ｇ４は、数値実施例１−３、５、６、８−１０では、物体側から順に、正レンズ４１と、負レンズ４２と、負レンズ４３と、正レンズ４４と、正レンズ４５とから構成されている。負レンズ４２は、ガラスレンズの像側の面に合成樹脂材料による非球面層が接着形成されたハイブリッドレンズからなる。負レンズ４３と正レンズ４４は、接合されている。
【００２７】
第４レンズ群Ｇ４は、数値実施例４、７では、物体側から順に、正レンズ４１’と、負レンズ４２’と、正レンズ４３’と、正レンズ４４’とから構成されている。負レンズ４２’と正レンズ４３’は、接合されている。正レンズ４４’は、両面に非球面を有している。
【００２８】
本実施形態の変倍光学系は、例えば、正負正正の４群構成のポジティブリード型を採用し、且つ、広角を包括した大口径標準ズームレンズ系を対象とする。本実施形態の変倍光学系は、各レンズ群のパワーバランスを最適設定することで、全焦点距離域で諸収差（球面収差、コマ収差、非点収差、像面湾曲、色収差等）を良好に補正して、像の平坦性等の優れた光学性能を達成することができる。
【００２９】
本実施形態の変倍光学系は、第３レンズ群Ｇ３を、物体側から順に、正の屈折力の第３ａレンズ群Ｇ３ａと、正の屈折力の第３ｂレンズ群Ｇ３ｂと、負の屈折力の第３ｃレンズ群Ｇ３ｃとから構成し、第３ｃレンズ群Ｇ３ｃを、負単レンズ３３または３４’から構成している。第３ａレンズ群Ｇ３ａ及び／又は第３ｂレンズ群Ｇ３ｂに少なくとも１枚の特殊低分散レンズ（ＥＤレンズ）を配置することで、色収差を良好に補正することができる。また、第３ａレンズ群Ｇ３ａ及び／又は第３ｂレンズ群Ｇ３ｂに、少なくとも一方の面に非球面を有する正レンズを少なくとも１枚含ませることで、全焦点距離に亘って、球面収差、コマ収差、非点収差を最適にバランスさせることが可能になる。
【００３０】
条件式（１）は、短焦点距離端における全系の焦点距離と、第１レンズ群Ｇ１の焦点距離との比を規定している。条件式（１）を満足することで、第１レンズ群Ｇ１の変倍移動量を抑えて長焦点距離端のレンズ全長を短くするとともに、軸上色収差、球面収差、コマ収差を良好に補正することができる。
条件式（１）の上限を超えると、第１レンズ群Ｇ１の変倍移動量が大きくなりすぎて、長焦点距離端のレンズ全長が長くなってしまう。また、軸上色収差の補正が困難になってしまう。
条件式（１）の下限を超えると、第１レンズ群Ｇ１のパワーが強くなりすぎて、特に長焦点距離端で球面収差やコマ収差が大きく発生してしまう。
【００３１】
条件式（２）は、第３レンズ群Ｇ３の焦点距離と、第４レンズ群Ｇ４の焦点距離との比を規定している。条件式（２）を満足することで、バックフォーカスを確保しやすくするとともに、コマ収差、球面収差、歪曲収差を良好に補正し、しかもレンズ群の偏芯による光学性能の低下を防止することができる。
条件式（２）の上限を超えると、第４レンズ群Ｇ４のパワーが強くなりすぎて、短焦点距離端において周辺部のコマ収差が大きく発生してこれを補正するのが困難になってしまう。
条件式（２）の下限を超えると、第３レンズ群Ｇ３のパワーが強くなりすぎて、球面収差の補正が困難になるとともに、バックフォーカスの確保が困難になってしまう。これを回避するために第２レンズ群Ｇ２のパワーを強くすると、短焦点距離端での歪曲収差が大きく発生してしまう。
条件式（２）の上限を超えても下限を超えても、レンズ群の偏芯により光学性能が著しく低下してしまう。
【００３２】
条件式（３）は、第３ａレンズ群Ｇ３ａの焦点距離と、第３ｃレンズ群Ｇ３ｃの焦点距離との比を規定している。条件式（３）を満足することで、像面湾曲、球面収差、コマ収差、非点収差を良好に補正することができる。
条件式（３）の上限を超えると、第３ｃレンズ群Ｇ３ｃのパワーが強くなりすぎて、全焦点距離域に亘って像面湾曲のバランスを保つのが困難になってしまう。また、球面収差、コマ収差、非点収差をバランス良く補正するのが困難になってしまう。
条件式（３）の下限を超えると、第３ａレンズ群Ｇ３ａのパワーが強くなりすぎて、長焦点距離端側での球面収差の補正が困難になってしまう。
【００３３】
条件式（４）は、第１レンズ群Ｇ１の焦点距離と、第２レンズ群Ｇ２の焦点距離との比を規定している。条件式（４）を満足することで、光学系の小型化（全長の短縮化）を図るとともに、非点収差、歪曲収差、球面収差、コマ収差を良好に補正することができる。
条件式（４）の上限を超えると、特に短焦点距離端において非点収差と歪曲収差が大きく発生してしまう。また、第１レンズ群Ｇ１の変倍移動量が大きくなるため、光学系の小型化（全長の短縮化）が困難になってしまう。
条件式（４）の下限を超えると、特に長焦点距離端において球面収差とコマ収差の補正が困難になってしまう。
【００３４】
条件式（５）は、第３レンズ群Ｇ３中のｄ線に対するアッベ数が最も大きい正レンズの当該ｄ線に対するアッベ数を規定している。第３レンズ群Ｇ３中に条件式（５）を満足するような低分散の正レンズを含ませることで、全焦点距離域に亘って色収差（軸上色収差）を良好に補正することができる。条件式（５）を満足しないと、全焦点距離域に亘って色収差（軸上色収差）の補正が困難になってしまう。
【００３５】
条件式（６）は、第４レンズ群Ｇ４中のｄ線に対するアッベ数が最も大きい正レンズの当該ｄ線に対するアッベ数を規定している。第４レンズ群Ｇ４中に条件式（６）を満足するような低分散の正レンズを含ませることで、全焦点距離域に亘って色収差（軸上色収差）を良好に補正することができる。条件式（６）を満足しないと、全焦点距離域に亘って色収差（軸上色収差）の補正が困難になってしまう。
【実施例】
【００３６】
次に具体的な数値実施例１−１０を示す。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。バックフォーカスはレンズ全系の最も像側の面から設計上の像面Ｉ（図４１）までの距離である。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位を[mm]として表現している。
【００３７】
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００３８】
［数値実施例１］
図１〜図４Ｄと表１〜表４は、本発明による変倍光学系の数値実施例１を示している。図１は短焦点距離端における無限遠合焦時のレンズ構成図、図３Ａ〜図３Ｄはその諸収差図であり、図２は長焦点距離端における無限遠合焦時のレンズ構成図、図４Ａ〜図４Ｄはその諸収差図である。表１は面データ、表２は各種データ、表３は非球面データ、表４はレンズ群データである。
【００３９】
本数値実施例１の変倍光学系は、物体側から順に、正の屈折力の第１レンズ群Ｇ１と、負の屈折力の第２レンズ群Ｇ２と、正の屈折力の第３レンズ群Ｇ３と、正の屈折力の第４レンズ群Ｇ４とから構成されている。第２レンズ群Ｇ２と第３レンズ群Ｇ３の間（第３レンズ群Ｇ３の直前位置）には、第３レンズ群Ｇ３と一体に移動する開口絞りＳが設けられている。
【００４０】
第１レンズ群Ｇ１は、物体側から順に、物体側に凸の負メニスカスレンズ１１と、物体側に凸の正メニスカスレンズ１２と、物体側に凸の正メニスカスレンズ１３とから構成されている。負メニスカスレンズ１１と正メニスカスレンズ１２は、接合されている。
【００４１】
第２レンズ群Ｇ２は、物体側から順に、物体側に凸の負メニスカスレンズ２１と、両凹負レンズ２２と、両凸正レンズ２３と、両凹負レンズ２４と、両凸正レンズ２５とから構成されている。負メニスカスレンズ２１は、ガラスレンズの物体側の面に合成樹脂材料による非球面層が接着形成されたハイブリッドレンズからなる。両凹負レンズ２４と両凸正レンズ２５は、接合されている。
【００４２】
第３レンズ群Ｇ３は、物体側から順に、正の屈折力の第３ａレンズ群Ｇ３ａと、正の屈折力の第３ｂレンズ群Ｇ３ｂと、負の屈折力の第３ｃレンズ群Ｇ３ｃとから構成されている。第３ａレンズ群Ｇ３ａは、両凸正単レンズ３１から構成されている。第３ｂレンズ群Ｇ３ｂは、物体側に凸の正メニスカス単レンズ３２から構成されている。第３ｃレンズ群Ｇ３ｃは、両凹負単レンズ３３から構成されている。
【００４３】
第４レンズ群Ｇ４は、物体側から順に、両凸正レンズ４１と、物体側に凸の負メニスカスレンズ４２と、両凹負レンズ４３と、両凸正レンズ４４と、両凸正レンズ４５とから構成されている。負メニスカスレンズ４２は、ガラスレンズの像側の面に合成樹脂材料による非球面層が接着形成されたハイブリッドレンズからなる。両凹負レンズ４３と両凸正レンズ４４は、接合されている。
【００４４】
（表１）
面データ
面番号          R          d          N(d)        ν(d)
1           248.342      1.500      1.84666        23.8
2            95.440      4.542      1.77250        49.6
3           499.141      0.150
4            54.444      4.584      1.77250        49.6
5           123.687        d5
6*           96.321      0.200      1.52972        42.7
7            55.321      1.200      1.88300        40.8
8            15.770      9.661
9           -45.755      1.000      1.88300        40.8
10           61.022      0.658
11           47.797      4.447      1.65412        39.7
12          -34.770      1.914
13          -18.669      0.900      1.72916        54.7
14           62.955      3.285      1.84666        23.8
15          -50.625       d15
16絞           ∞       1.500
17           48.041      4.569      1.80400        46.6
18          -61.324      0.200
19           41.565      3.351      1.49700        81.6
20          358.984      2.340
21          -41.141      1.200      1.88300        40.8
22          114.231       d22
23           36.124      5.120      1.49700        81.6
24          -44.979      2.737
25         9318.559      2.179      1.84666        23.8
26           85.561      0.500      1.52972        42.7
27*        -694.915      1.882
28          -61.581      0.900      1.90366        31.3
29           40.782      5.900      1.49700        81.6
30          -41.987      1.000
31         1027.636      4.906      1.74400        44.8
32          -36.676        -
＊は回転対称非球面である。
（表２）
各種データ
ズーム比（変倍比）    2.93
短焦点距離端          中間焦点距離          長焦点距離端
FNO.            2.9                   2.9                   2.9
f             16.52                 28.36                 48.35
W              41.8                  26.7                  16.3
Y             14.24                 14.24                 14.24
fB            37.30                 49.96                 64.37
L            137.62                148.58                168.41
d5            2.626                15.765                29.757
d15          17.997                 7.398                 1.100
d22           7.370                 3.129                 0.854
（表３）
非球面データ
面番号  K        A4          A6          A8         A10         A12
6    0.000  0.1893E-04 -0.2609E-07  0.7632E-10 -0.1299E-12  0.3140E-15
27   0.000  0.2537E-04 -0.2027E-08  0.5038E-10 -0.5617E-13  0.0000E+00
（表４）
レンズ群データ
群          始面          焦点距離
1              1            108.55
2              6            -14.00
3             17             58.27
4             23             36.76
【００４５】
［数値実施例２］
図５〜図８Ｄと表５〜表８は、本発明による変倍光学系の数値実施例２を示している。図５は短焦点距離端における無限遠合焦時のレンズ構成図、図７Ａ〜図７Ｄはその諸収差図であり、図６は長焦点距離端における無限遠合焦時のレンズ構成図、図８Ａ〜図８Ｄはその諸収差図である。表５は面データ、表６は各種データ、表７は非球面データ、表８はレンズ群データである。
【００４６】
本数値実施例２の変倍光学系のレンズ構成は、次の点を除き、数値実施例１の変倍光学系のレンズ構成と同一である。
（１）第３ａレンズ群Ｇ３ａの両凸正単レンズ３１の像側の面に非球面が形成されている。
（２）第４レンズ群Ｇ４の正レンズ４５が像側に凸の正メニスカスレンズからなる。
【００４７】
（表５）
面データ
面番号          R          d          N(d)        ν(d)
1           397.019      1.500      1.84666        23.8
2           128.846      4.968      1.77250        49.6
3           507.063      0.150
4            59.609      4.803      1.77250        49.6
5           144.268        d5
6*           78.896      0.300      1.52972        42.7
7            51.774      1.200      1.88300        40.8
8            15.984     10.316
9           -39.108      1.000      1.88300        40.8
10           71.025      0.373
11           47.578      4.770      1.65412        39.7
12          -31.603      1.857
13          -18.783      1.000      1.72916        54.7
14           99.397      3.391      1.84666        23.8
15          -45.536       d15
16絞           ∞       1.500
17           47.744      5.072      1.77250        49.5
18*         -61.457      0.200
19           43.491      3.391      1.49700        81.6
20          342.454      2.880
21          -37.052      1.200      1.88300        40.8
22          128.616       d22
23           35.383      6.519      1.49700        81.6
24          -44.178      2.299
25          508.586      2.500      1.84666        23.8
26           62.757      0.641      1.52972        42.7
27*         510.000      2.176
28          -61.318      1.000      1.90366        31.3
29           86.905      5.900      1.49700        81.6
30          -36.674      1.000
31         -264.023      3.537      1.74400        44.8
32          -40.029        -
＊は回転対称非球面である。
（表６）
各種データ
ズーム比（変倍比）    2.94
短焦点距離端          中間焦点距離          長焦点距離端
FNO.            2.9                   2.9                   2.9
f             16.52                 28.36                 48.50
W              41.9                  26.8                  16.3
Y             14.24                 14.24                 14.24
fB            37.50                 51.11                 68.26
L            144.12                154.44                176.56
d5            2.861                16.280                30.920
d15          20.951                 8.529                 1.100
d22           7.370                 3.084                 0.840
（表７）
非球面データ
面番号  K        A4          A6          A8         A10         A12
6    0.000  0.1904E-04 -0.3615E-07  0.1881E-09 -0.5309E-12  0.9167E-15
18   0.000 -0.1221E-05  0.1415E-08 -0.1562E-10  0.5307E-13  0.0000E+00
27   0.000  0.2695E-04  0.2487E-08  0.6510E-10 -0.1108E-12  0.0000E+00
（表８）
レンズ群データ
群          始面          焦点距離
1              1            128.38
2              6            -15.50
3             17             67.62
4             23             36.71
【００４８】
［数値実施例３］
図９〜図１２Ｄと表９〜表１２は、本発明による変倍光学系の数値実施例３を示している。図９は短焦点距離端における無限遠合焦時のレンズ構成図、図１１Ａ〜図１１Ｄはその諸収差図であり、図１０は長焦点距離端における無限遠合焦時のレンズ構成図、図１２Ａ〜図１２Ｄはその諸収差図である。表９は面データ、表１０は各種データ、表１１は非球面データ、表１２はレンズ群データである。
【００４９】
本数値実施例３の変倍光学系のレンズ構成は、数値実施例２の変倍光学系のレンズ構成と同一である。
【００５０】
（表９）
面データ
面番号          R          d          N(d)        ν(d)
1           469.978      1.500      1.84666        23.8
2           136.287      4.851      1.77250        49.6
3           552.997      0.150
4            58.140      4.925      1.77250        49.6
5           142.356        d5
6*           72.163      0.300      1.52972        42.7
7            49.575      1.200      1.88300        40.8
8            15.563     10.308
9           -38.848      1.000      1.88300        40.8
10           56.501      0.443
11           41.314      4.976      1.65412        39.7
12          -30.538      1.744
13          -19.380      1.000      1.72916        54.7
14          107.304      3.355      1.84666        23.8
15          -46.273       d15
16絞           ∞       1.500
17           48.315      5.115      1.77250        49.5
18*         -61.012      0.200
19           39.222      3.462      1.49700        81.6
20          207.889      3.036
21          -35.637      1.200      1.88300        40.8
22          125.679       d22
23           35.766      6.148      1.49700        81.6
24          -44.245      2.376
25          470.224      2.500      1.84666        23.8
26           60.545      0.646      1.52972        42.7
27*         418.598      2.219
28          -61.881      1.000      1.90366        31.3
29           93.037      5.645      1.49700        81.6
30          -36.009      1.000
31         -253.333      4.035      1.74400        44.8
32          -39.917        -
＊は回転対称非球面である。
（表１０）
各種データ
ズーム比（変倍比）    2.94
短焦点距離端          中間焦点距離          長焦点距離端
FNO.            2.9                   2.9                   2.9
f             16.48                 28.36                 48.50
W              42.7                  27.5                  16.9
Y             14.63                 14.69                 14.80
fB            37.50                 51.22                 68.31
L            145.08                155.04                177.03
d5            2.896                16.148                30.786
d15          21.483                 8.696                 1.100
d22           7.370                 3.137                 1.000
（表１１）
非球面データ
面番号  K        A4          A6          A8         A10         A12
6    0.000  0.1828E-04 -0.3513E-07  0.1761E-09 -0.4909E-12  0.8381E-15
18   0.000 -0.1952E-05  0.1246E-09 -0.1088E-10  0.5016E-13  0.0000E+00
27   0.000  0.2729E-04  0.3857E-08  0.5713E-10 -0.1286E-12  0.0000E+00
（表１２）
レンズ群データ
群          始面          焦点距離
1              1            126.78
2              6            -15.60
3             17             68.55
4             23             36.56
【００５１】
［数値実施例４］
図１３〜図１６Ｄと表１３〜表１６は、本発明による変倍光学系の数値実施例４を示している。図１３は短焦点距離端における無限遠合焦時のレンズ構成図、図１５Ａ〜図１５Ｄはその諸収差図であり、図１４は長焦点距離端における無限遠合焦時のレンズ構成図、図１６Ａ〜図１６Ｄはその諸収差図である。表１３は面データ、表１４は各種データ、表１５は非球面データ、表１６はレンズ群データである。
【００５２】
本数値実施例４の変倍光学系のレンズ構成は、次の点を除き、数値実施例１の変倍光学系のレンズ構成と同一である。
（１）第３ｂレンズ群Ｇ３ｂの正単レンズ３２が、像側の面に非球面が形成された両凸正単レンズからなる。
（２）第４レンズ群Ｇ４が、物体側から順に、両凸正レンズ４１’と、両凹負レンズ４２’と、両凸正レンズ４３’と、像側に凸の正メニスカスレンズ４４’とから構成されている。両凹負レンズ４２’と両凸正レンズ４３’は、接合されている。正メニスカスレンズ４４’の両面には非球面が形成されている。
【００５３】
（表１３）
面データ
面番号          R          d          N(d)        ν(d)
1           172.901      1.800      1.84666        23.8
2            85.927      8.527      1.72916        54.7
3           332.762      0.200
4            75.122      6.053      1.77250        49.6
5           170.367        d5
6*           68.489      0.100      1.52972        42.7
7            49.432      1.300      1.88300        40.8
8            14.687      9.806
9           -39.496      1.100      1.83481        42.7
10           58.716      0.330
11           39.070      4.170      1.67270        32.1
12          -38.582      1.634
13          -22.932      1.200      1.77250        49.6
14           55.154      3.419      1.84666        23.8
15          -58.736       d15
16絞           ∞       1.500
17           52.861      4.724      1.49700        81.6
18          -60.398      0.508
19           33.485      6.660      1.59522        67.7
20*         -71.481      3.921
21          -23.030      3.674      1.88300        40.8
22         5345.252       d22
23           52.622      5.675      1.49700        81.6
24          -33.503      0.630
25         -455.993      1.200      1.80518        25.4
26           67.707      5.581      1.49700        81.6
27          -58.661      0.300
28*        -242.539      4.793      1.51633        64.1
29*         -55.470        -
＊は回転対称非球面である。
（表１４）
各種データ
ズーム比（変倍比）    2.95
短焦点距離端          中間焦点距離          長焦点距離端
FNO.            2.9                   2.9                   2.9
f             16.46                 28.00                 48.50
W              42.1                  26.7                  16.1
Y             14.24                 14.24                 14.24
fB            38.00                 50.97                 66.44
L            144.39                158.83                185.25
d5            2.755                17.770                36.673
d15          19.429                 8.582                 2.029
d22           5.400                 2.702                 1.300
（表１５）
非球面データ
面番号  K        A4          A6          A8         A10         A12
6    0.000  0.1586E-04 -0.3377E-07  0.6561E-10 -0.3584E-13  0.0000E+00
20   0.000 -0.8292E-05 -0.2695E-07 -0.1339E-10  0.0000E+00  0.0000E+00
28   0.000 -0.2017E-04 -0.3002E-07  0.1093E-09  0.0000E+00  0.0000E+00
29   0.000 -0.5698E-06 -0.1094E-07  0.1275E-09  0.0000E+00  0.0000E+00
（表１６）
レンズ群データ
群          始面          焦点距離
1              1            139.08
2              6            -14.67
3             17             62.33
4             23             32.61
【００５４】
［数値実施例５］
図１７〜図２０Ｄと表１７〜表２０は、本発明による変倍光学系の数値実施例５を示している。図１７は短焦点距離端における無限遠合焦時のレンズ構成図、図１９Ａ〜図１９Ｄはその諸収差図であり、図１８は長焦点距離端における無限遠合焦時のレンズ構成図、図２０Ａ〜図２０Ｄはその諸収差図である。表１７は面データ、表１８は各種データ、表１９は非球面データ、表２０はレンズ群データである。
【００５５】
本数値実施例５の変倍光学系のレンズ構成は、次の点を除き、数値実施例１の変倍光学系のレンズ構成と同一である。
（１）第３ａレンズ群Ｇ３ａが、物体側から順に位置する物体側に凸の負メニスカスレンズ３１’と両凸正レンズ３２’の接合レンズから構成されている。両凸正レンズ３２’の像側の面には非球面が形成されている。
（２）第３ｂレンズ群Ｇ３ｂが、物体側に凸の正メニスカス単レンズ３３’から構成されている。
（３）第３ｃレンズ群Ｇ３ｃが、両凹負単レンズ３４’から構成されている。
（４）第４レンズ群Ｇ４において、負レンズ４２が両凹負レンズからなり、正レンズ４５が像側に凸の正メニスカスレンズからなる。
【００５６】
（表１７）
面データ
面番号          R          d          N(d)        ν(d)
1           371.451      1.500      1.84666        23.8
2           124.307      5.041      1.77250        49.6
3           427.574      0.150
4            58.075      5.575      1.77250        49.6
5           143.096        d5
6*           77.634      0.300      1.52972        42.7
7            52.381      1.200      1.88300        40.8
8            15.605     10.400
9           -39.419      1.000      1.88300        40.8
10           53.009      0.514
11           40.187      5.038      1.65412        39.7
12          -30.468      1.658
13          -19.612      1.000      1.72916        54.7
14          124.288      3.221      1.84666        23.8
15          -45.338       d15
16絞           ∞       1.500
17           50.915      1.289      1.84666        23.8
18           42.429      4.275      1.83481        42.7
19*         -67.601      0.200
20           39.622      3.524      1.49700        81.6
21          423.705      3.069
22          -35.056      1.200      1.88300        40.8
23          106.997       d23
24           33.962      7.381      1.49700        81.6
25          -41.041      1.000
26        -4518.851      2.500      1.84666        23.8
27           78.977      0.500      1.52972        42.7
28*         335.441      2.247
29          -63.564      1.000      1.90366        31.3
30           81.792      5.900      1.49700        81.6
31          -35.394      1.000
32         -255.429      5.753      1.74400        44.8
33          -40.624        -
＊は回転対称非球面である。
（表１８）
各種データ
ズーム比（変倍比）    2.94
短焦点距離端          中間焦点距離          長焦点距離端
FNO.            2.9                   2.9                   2.9
f             16.48                 28.36                 48.50
W              42.0                  26.8                  16.3
Y             14.24                 14.24                 14.24
fB            37.50                 51.16                 66.99
L            148.56                158.28                180.44
d5            2.931                16.289                32.202
d15          21.820                 8.716                 1.178
d23           7.370                 3.172                 1.132
（表１９）
非球面データ
面番号  K        A4          A6          A8         A10         A12
6    0.000  0.1810E-04 -0.3740E-07  0.1881E-09 -0.5421E-12  0.8606E-15
19   0.000 -0.2784E-05  0.9257E-10 -0.1393E-10  0.7134E-13  0.0000E+00
28   0.000  0.2817E-04  0.5010E-08  0.5942E-10 -0.1443E-12  0.0000E+00
（表２０）
レンズ群データ
群          始面          焦点距離
1              1            125.59
2              6            -15.63
3             17             68.50
4             24             36.54
【００５７】
［数値実施例６］
図２１〜図２４Ｄと表２１〜表２４は、本発明による変倍光学系の数値実施例６を示している。図２１は短焦点距離端における無限遠合焦時のレンズ構成図、図２３Ａ〜図２３Ｄはその諸収差図であり、図２２は長焦点距離端における無限遠合焦時のレンズ構成図、図２４Ａ〜図２４Ｄはその諸収差図である。表２１は面データ、表２２は各種データ、表２３は非球面データ、表２４はレンズ群データである。
【００５８】
本数値実施例６の変倍光学系のレンズ構成は、次の点を除き、数値実施例５の変倍光学系のレンズ構成と同一である。
（１）第３ｂレンズ群Ｇ３ｂの正単レンズ３３’が両凸正単レンズからなる。
【００５９】
（表２１）
面データ
面番号          R          d          N(d)        ν(d)
1           309.418      1.500      1.84666        23.8
2           116.562      4.919      1.77250        49.6
3           399.631      0.150
4            58.904      5.440      1.77250        49.6
5           141.429        d5
6*           76.590      0.300      1.52972        42.7
7            52.848      1.200      1.88300        40.8
8            15.738     10.555
9           -41.158      1.000      1.88300        40.8
10           54.083      0.647
11           39.975      5.107      1.59551        39.2
12          -29.412      1.698
13          -19.368      1.000      1.72916        54.7
14          112.517      3.324      1.84666        23.8
15          -45.494       d15
16絞           ∞       1.500
17           51.429      1.200      1.84666        23.8
18           41.143      4.467      1.83481        42.7
19*         -67.028      0.200
20           38.776      4.342      1.49700        81.6
21         -837.668      2.285
22          -35.794      1.637      1.88300        40.8
23          112.389       d23
24           38.802      7.951      1.49700        81.6
25          -41.732      1.000
26        -1416.037      2.000      1.84666        23.8
27           80.556      0.500      1.52972        42.7
28*         412.606      2.137
29          -64.326      1.000      1.90366        31.3
30           80.112      5.900      1.49700        81.6
31          -36.795      1.000
32         -267.159      5.727      1.74400        44.8
33          -40.714        -
＊は回転対称非球面である。
（表２２）
各種データ
ズーム比（変倍比）    2.94
短焦点距離端          中間焦点距離          長焦点距離端
FNO.            2.9                   2.9                   2.9
f             16.48                 28.36                 48.50
W              42.0                  26.8                  16.3
Y             14.24                 14.24                 14.24
fB            37.50                 51.66                 68.12
L            148.92                159.23                181.83
d5            2.796                16.280                31.927
d15          21.573                 8.568                 1.100
d23           7.370                 3.035                 1.000
（表２３）
非球面データ
面番号  K        A4          A6          A8         A10         A12
6    0.000  0.1700E-04 -0.3432E-07  0.1658E-09 -0.4525E-12  0.6761E-15
19   0.000 -0.2771E-05 -0.1861E-08 -0.4742E-11  0.3439E-13  0.0000E+00
28   0.000  0.2556E-04  0.5477E-08  0.2109E-10 -0.6647E-13  0.0000E+00
（表２４）
レンズ群データ
群          始面          焦点距離
1              1            125.06
2              6            -15.08
3             17             59.37
4             24             38.91
【００６０】
［数値実施例７］
図２５〜図２８Ｄと表２５〜表２８は、本発明による変倍光学系の数値実施例７を示している。図２５は短焦点距離端における無限遠合焦時のレンズ構成図、図２７Ａ〜図２７Ｄはその諸収差図であり、図２６は長焦点距離端における無限遠合焦時のレンズ構成図、図２８Ａ〜図２８Ｄはその諸収差図である。表２５は面データ、表２６は各種データ、表２７は非球面データ、表２８はレンズ群データである。
【００６１】
本数値実施例７の変倍光学系のレンズ構成は、数値実施例４の変倍光学系のレンズ構成と同一である。
【００６２】
（表２５）
面データ
面番号          R          d          N(d)        ν(d)
1           165.500      1.800      1.84666        23.8
2            73.519      8.462      1.72916        54.7
3           304.903      0.200
4            60.688      5.923      1.77250        49.6
5           161.892        d5
6*           86.058      0.100      1.52972        42.7
7            58.801      1.300      1.88300        40.8
8            14.570      9.529
9           -38.221      1.100      1.83481        42.7
10           55.568      0.409
11           38.746      4.172      1.67270        32.1
12          -36.033      1.772
13          -22.626      1.200      1.77250        49.6
14           47.795      3.389      1.84666        23.8
15          -59.998       d15
16絞           ∞       1.500
17           49.468      4.476      1.49700        81.6
18          -64.113      2.929
19           33.222      6.545      1.59522        67.7
20*         -68.705      3.780
21          -22.884      2.166      1.88300        40.8
22         2043.815       d22
23           52.417      5.595      1.49700        81.6
24          -33.690      0.630
25         -465.995      1.200      1.80518        25.4
26           64.554      6.002      1.49700        81.6
27          -56.912      0.300
28*        -280.996      4.563      1.51633        64.1
29*         -52.840        -
＊は回転対称非球面である。
（表２６）
各種データ
ズーム比（変倍比）    2.97
短焦点距離端          中間焦点距離          長焦点距離端
FNO.            2.9                   2.9                   2.9
f             16.46                 28.00                 48.83
W              42.0                  26.7                  16.0
Y             14.24                 14.24                 14.24
fB            38.00                 50.33                 63.79
L            143.56                155.59                177.57
d5            2.705                15.344                31.455
d15          18.415                 8.171                 1.949
d22           5.400                 2.706                 1.328
（表２７）
非球面データ
面番号  K        A4          A6          A8         A10         A12
6    0.000  0.1497E-04 -0.2589E-07  0.2711E-10  0.6306E-14  0.0000E+00
20   0.000 -0.7600E-05 -0.2893E-07 -0.1241E-10 -0.2149E-13  0.0000E+00
28   0.000 -0.2060E-04 -0.2998E-07  0.9527E-10  0.0000E+00  0.0000E+00
29   0.000 -0.1301E-05 -0.1052E-07  0.1135E-09  0.0000E+00  0.0000E+00
（表２８）
レンズ群データ
群          始面          焦点距離
1              1            108.90
2              6            -13.76
3             17             60.98
4             23             31.99
【００６３】
［数値実施例８］
図２９〜図３２Ｄと表２９〜表３２は、本発明による変倍光学系の数値実施例８を示している。図２９は短焦点距離端における無限遠合焦時のレンズ構成図、図３１Ａ〜図３１Ｄはその諸収差図であり、図３０は長焦点距離端における無限遠合焦時のレンズ構成図、図３２Ａ〜図３２Ｄはその諸収差図である。表２９は面データ、表３０は各種データ、表３１は非球面データ、表３２はレンズ群データである。
【００６４】
本数値実施例８の変倍光学系のレンズ構成は、数値実施例６の変倍光学系のレンズ構成と同一である。
【００６５】
（表２９）
面データ
面番号          R          d          N(d)        ν(d)
1           406.592      1.500      1.84666        23.8
2           125.600      4.839      1.77250        49.6
3           577.584      0.150
4            58.397      5.426      1.77250        49.6
5           138.431        d5
6*           75.516      0.300      1.52972        42.7
7            50.739      1.200      1.88300        40.8
8            15.466      9.894
9           -39.061      1.000      1.88300        40.8
10           57.538      0.794
11           41.030      5.144      1.59551        39.2
12          -28.936      1.745
13          -19.244      1.000      1.72916        54.7
14          138.052      3.298      1.84666        23.8
15          -43.608       d15
16絞           ∞       1.500
17           56.072      1.200      1.84666        23.8
18           46.332      3.933      1.83481        42.7
19*         -89.117      0.200
20           36.853      5.882      1.49700        81.6
21         -137.734      2.870
22          -35.579      2.376      1.88300        40.8
23           94.485       d23
24           38.073      6.298      1.49700        81.6
25          -40.292      1.357
26        -5283.593      2.000      1.84666        23.8
27           83.842      0.500      1.52972        42.7
28*        2085.744      1.997
29          -63.997      1.000      1.90366        31.3
30           80.442      6.004      1.49700        81.6
31          -37.536      1.000
32         -262.987      5.983      1.72000        43.7
33          -39.548        -
＊は回転対称非球面である。
（表３０）
各種データ
ズーム比（変倍比）    2.94
短焦点距離端          中間焦点距離          長焦点距離端
FNO.            2.9                   2.9                   2.9
f             16.48                 28.36                 48.50
W              42.0                  26.8                  16.3
Y             14.24                 14.24                 14.24
fB            37.50                 51.63                 68.05
L            149.57                160.12                182.91
d5            2.828                16.504                32.371
d15          21.488                 8.564                 1.105
d23           7.370                 3.033                 1.000
（表３１）
非球面データ
面番号  K        A4          A6          A8         A10         A12
6    0.000  0.1800E-04 -0.3412E-07  0.1565E-09 -0.4087E-12  0.6846E-15
19   0.000 -0.2340E-05 -0.2348E-08 -0.5884E-11  0.3209E-13  0.0000E+00
28   0.000  0.2559E-04  0.7103E-08  0.2085E-10 -0.5084E-13  0.0000E+00
（表３２）
レンズ群データ
群          始面          焦点距離
1              1            125.09
2              6            -15.26
3             17             62.13
4             24             36.80
【００６６】
［数値実施例９］
図３３〜図３６Ｄと表３３〜表３６は、本発明による変倍光学系の数値実施例９を示している。図３３は短焦点距離端における無限遠合焦時のレンズ構成図、図３５Ａ〜図３５Ｄはその諸収差図であり、図３４は長焦点距離端における無限遠合焦時のレンズ構成図、図３６Ａ〜図３６Ｄはその諸収差図である。表３３は面データ、表３４は各種データ、表３５は非球面データ、表３６はレンズ群データである。
【００６７】
本数値実施例９の変倍光学系のレンズ構成は、次の点を除き、数値実施例２、３の変倍光学系のレンズ構成と同一である。
（１）第３ｂレンズ群Ｇ３ｂの正単レンズ３２が両凸正単レンズからなる。
【００６８】
（表３３）
面データ
面番号          R          d          N(d)        ν(d)
1           455.149      1.500      1.84666        23.8
2           131.963      4.942      1.77250        49.6
3           546.122      0.150
4            52.585      5.486      1.75500        52.3
5           136.227        d5
6*           81.763      0.300      1.52972        42.7
7            53.214      1.200      1.88300        40.8
8            14.964      9.652
9           -37.590      1.000      1.88300        40.8
10           57.045      0.426
11           40.427      5.097      1.65412        39.7
12          -29.345      1.727
13          -18.881      1.000      1.72916        54.7
14          101.578      3.360      1.84666        23.8
15          -45.580       d15
16絞           ∞       1.500
17           50.631      4.684      1.77250        49.5
18*         -76.960      0.200
19           35.316      4.546      1.43875        95.0
20         -152.635      3.818
21          -34.238      1.200      1.83481        42.7
22           81.143       d22
23           35.069      6.684      1.49700        81.6
24          -41.334      1.000
25          527.008      2.200      1.84666        23.8
26           74.427      0.500      1.52972        42.7
27*         565.323      2.115
28          -65.060      1.000      1.90366        31.3
29           75.191      5.880      1.49700        81.6
30          -35.471      1.000
31         -273.505      5.371      1.72000        43.7
32          -40.134        -
＊は回転対称非球面である。
（表３４）
各種データ
ズーム比（変倍比）    2.94
短焦点距離端          中間焦点距離          長焦点距離端
FNO.            2.9                   2.9                   2.9
f             16.48                 28.36                 48.50
W              42.0                  26.8                  16.3
Y             14.24                 14.24                 14.24
fB            37.50                 51.00                 68.11
L            145.65                155.53                175.86
d5            2.794                15.364                28.111
d15          20.451                 8.497                 1.100
d22           7.370                 3.126                 1.000
（表３５）
非球面データ
面番号  K        A4          A6          A8         A10         A12
6    0.000  0.2081E-04 -0.4656E-07  0.2295E-09 -0.6611E-12  0.1090E-14
18   0.000 -0.1870E-05 -0.2030E-08 -0.6319E-11  0.3177E-13  0.0000E+00
27   0.000  0.2638E-04  0.7548E-08  0.2182E-10 -0.1747E-13  0.0000E+00
（表３６）
レンズ群データ
群          始面          焦点距離
1              1            112.26
2              6            -14.79
3             17             64.85
4             23             34.99
【００６９】
［数値実施例１０］
図３７〜図４０Ｄと表３７〜表４０は、本発明による変倍光学系の数値実施例１０を示している。図３７は短焦点距離端における無限遠合焦時のレンズ構成図、図３９Ａ〜図３９Ｄはその諸収差図であり、図３８は長焦点距離端における無限遠合焦時のレンズ構成図、図４０Ａ〜図４０Ｄはその諸収差図である。表３７は面データ、表３８は各種データ、表３９は非球面データ、表４０はレンズ群データである。
【００７０】
本数値実施例１０の変倍光学系のレンズ構成は、数値実施例９の変倍光学系のレンズ構成と同一である。
【００７１】
（表３７）
面データ
面番号          R          d          N(d)        ν(d)
1           418.750      1.500      1.84666        23.8
2           144.994      4.610      1.73400        51.5
3           502.019      0.150
4            58.067      5.007      1.74100        52.7
5           147.543        d5
6*           69.715      0.300      1.52972        42.7
7            48.179      1.200      1.88300        40.8
8            15.372     10.514
9           -37.583      1.000      1.88300        40.8
10           54.399      0.388
11           40.915      4.998      1.65412        39.7
12          -30.956      1.994
13          -19.018      1.000      1.72916        54.7
14          105.592      3.578      1.84666        23.8
15          -44.163       d15
16絞          ∞        1.500
17           50.343      5.005      1.77250        49.5
18*         -75.246      0.200
19           35.796      4.915      1.43875        95.0
20         -121.993      2.507
21          -34.785      1.322      1.83481        42.7
22           87.172       d22
23           36.075      6.579      1.49700        81.6
24          -41.808      1.797
25         1099.164      3.000      1.84666        23.8
26           76.179      0.500      1.52972        42.7
27*         434.172      2.161
28          -65.959      1.200      1.90366        31.3
29           85.855      5.867      1.49700        81.6
30          -37.279      1.000
31         -258.747      3.869      1.72000        43.7
32          -41.854        -
＊は回転対称非球面である。
（表３８）
各種データ
ズーム比（変倍比）    2.94
短焦点距離端          中間焦点距離          長焦点距離端
FNO.            2.9                   2.9                   2.9
f             16.48                 28.36                 48.50
W              42.0                  26.8                  16.3
Y             14.24                 14.24                 14.24
fB            37.50                 51.89                 69.89
L            146.18                157.49                181.00
d5            2.828                16.386                31.349
d15          20.819                 8.414                 1.100
d22           7.370                 3.135                 1.000
（表３９）
非球面データ
面番号  K        A4          A6          A8         A10         A12
6    0.000  0.1899E-04 -0.3814E-07  0.2039E-09 -0.5984E-12  0.9993E-15
18   0.000 -0.2121E-05 -0.2383E-08 -0.9869E-11  0.4086E-13  0.0000E+00
27   0.000  0.2609E-04  0.8252E-08  0.4088E-10 -0.7864E-13  0.0000E+00
（表４０）
レンズ群データ
群          始面          焦点距離
1              1            130.34
2              6            -15.14
3             17             64.19
4             23             37.21
【００７２】
各数値実施例の各条件式に対する値を表４１に示す。
（表４１）
実施例１      実施例２      実施例３      実施例４
条件式（１）      6.57          7.77          7.69          8.45
条件式（２）      1.59          1.84          1.88          1.91
条件式（３）      1.00          1.09          1.14          2.22
条件式（４）      7.75          8.28          8.13          9.48
条件式（５）      81.6          81.6          81.6          81.6
条件式（６）      81.6          81.6          81.6          81.6
実施例５      実施例６      実施例７      実施例８
条件式（１）      7.62          6.62          6.62          7.59
条件式（２）      1.88          1.91          1.91          1.69
条件式（３）      1.20          2.22          2.22          1.45
条件式（４）      8.04          7.91          7.91          8.20
条件式（５）      81.6          81.6          81.6          81.6
条件式（６）      81.6          81.6          81.6          81.6
実施例９      実施例１０
条件式（１）      6.81          7.91
条件式（２）      1.85          1.73
条件式（３）      1.40          1.34
条件式（４）      7.59          8.61
条件式（５）      94.9          94.9
条件式（６）      81.6          81.6
【００７３】
表４１から明らかなように、数値実施例１〜数値実施例１０は、条件式（１）〜条件式（６）を満足しており、諸収差図から明らかなように諸収差は比較的よく補正されている。
【００７４】
本発明の特許請求の範囲に含まれる変倍光学系に、実質的なパワーを有さないレンズまたはレンズ群を追加したとしても、本発明の技術的範囲に含まれる（本発明の技術的範囲を回避したことにはならない）。
【符号の説明】
【００７５】
Ｇ１  正の屈折力の第１レンズ群
１１  負レンズ
１２  正レンズ
１３  正レンズ
Ｇ２  負の屈折力の第２レンズ群
２１  負レンズ
２２  負レンズ
２３  正レンズ
２４  負レンズ
２５  正レンズ
Ｇ３  正の屈折力の第３レンズ群
Ｇ３ａ  正の屈折力の第３ａレンズ群
３１  正単レンズ
３１’  負レンズ
３２’  正レンズ
Ｇ３ｂ  正の屈折力の第３ｂレンズ群
３２  正単レンズ
３３’  正単レンズ
Ｇ３ｃ  負の屈折力の第３ｃレンズ群
３３  負単レンズ
３４’  負単レンズ
Ｇ４  正の屈折力の第４レンズ群
４１  正レンズ
４２  負レンズ
４３  負レンズ
４４  正レンズ
４５  正レンズ
４１’  正レンズ
４２’  負レンズ
４３’  正レンズ
４４’  正レンズ
Ｓ  開口絞り
Ｉ  設計上の像面
【図１】
2018045172.tif 000003
【図２】
2018045172.tif 000004
【図３】
2018045172.tif 000005
【図４】
2018045172.tif 000006
【図５】
2018045172.tif 000007
【図６】
2018045172.tif 000008
【図７】
2018045172.tif 000009
【図８】
2018045172.tif 000010
【図９】
2018045172.tif 000011
【図１０】
2018045172.tif 000012
【図１１】
2018045172.tif 000013
【図１２】
2018045172.tif 000014
【図１３】
2018045172.tif 000015
【図１４】
2018045172.tif 000016
【図１５】
2018045172.tif 000017
【図１６】
2018045172.tif 000018
【図１７】
2018045172.tif 000019
【図１８】
2018045172.tif 000020
【図１９】
2018045172.tif 000021
【図２０】
2018045172.tif 000022
【図２１】
2018045172.tif 000023
【図２２】
2018045172.tif 000024
【図２３】
2018045172.tif 000025
【図２４】
2018045172.tif 000026
【図２５】
2018045172.tif 000027
【図２６】
2018045172.tif 000028
【図２７】
2018045172.tif 000029
【図２８】
2018045172.tif 000030
【図２９】
2018045172.tif 000031
【図３０】
2018045172.tif 000032
【図３１】
2018045172.tif 000033
【図３２】
2018045172.tif 000034
【図３３】
2018045172.tif 000035
【図３４】
2018045172.tif 000036
【図３５】
2018045172.tif 000037
【図３６】
2018045172.tif 000038
【図３７】
2018045172.tif 000039
【図３８】
2018045172.tif 000040
【図３９】
2018045172.tif 000041
【図４０】
2018045172.tif 000042
【図４１】
2018045172.tif 000043